(57)【特許請求の範囲】
【請求項１】
一方の部材を他方の部材上に固定する構成であって、該一方の部材の下面所定個所には上面に帯歯を形成した固定板の複数個が取付けられ、該固定板の上側には下面に帯歯を形成した本体部と該本体部の外端から下方に屈曲した固定脚部とからなるＬ形摺動板の本体部がそれぞれ摺動可能に挿入され、更に該Ｌ形摺動板の上側には軸に凸条が形成されているピンである押圧手段が配置されており、該一方の部材を該他方の部材上に載置し、該Ｌ型摺動板を摺動させて該他方の部材の外周に該Ｌ型摺動板の固定脚部を当接せしめ、この状態で該ピンを軸を中心として回転させ、該ピンの凸条によって該Ｌ形摺動板の本体部を該固定板側に押圧することによってＬ型摺動板を摺動不可能に固定することを特徴とする部材固定機構。
【請求項２】
該一方の部材は補高便座であり、該他方の部材は便器または便座である請求項１に記載の部材固定機構。
【発明の詳細な説明】
【０００１】
【発明の属する技術分野】
本発明は、一方の部材を他方の部材に固定する部材固定機構に関するものである。
【０００２】
【従来の技術】
従来、例えば補高便座を便器上または便座上に固定する場合には、補高便座の下面から複数個の固定脚部を差出し、該固定脚部間に便器または便座を挟んで該補高便座を固定する機構が一般に提供されていた。
【０００３】
【発明が解決しようとする課題】
しかしながら、各固定脚部は便器外周または便座外周にぴったりと当接していないと補高便座にガタツキを生ずるものの、便器または便座には種々のサイズや形状があり、サイズや形状毎に補高便座を準備することは手間がかかり不経済であるという問題があった。
【０００４】
【課題を解決するための手段】
本発明は上記従来の課題を解決するための手段として、一方の部材を他方の部材上に固定する構成であって、該一方の部材の下面所定個所には上面に帯歯(7) を形成した固定板(8) の複数個が取付けられ、該固定板(8) の上側には下面に帯歯(9) を形成した本体部(10)と該本体部(10)の外端から下方に屈曲した固定脚部(11)とからなるＬ形摺動板(12)の本体部(10)がそれぞれ摺動可能に挿入され、更に該Ｌ形摺動板(12)の上側には軸に凸条(14)が形成されているピンである押圧手段が配置されており、該一方の部材を該他方の部材上に載置し、該Ｌ型摺動板(12)を摺動させて該他方の部材の外周に該Ｌ型摺動板(12)の固定脚部(11)を当接せしめ、この状態で該ピン(16)を軸を中心として回転させ、該ピン(16)の凸条(14) によって該Ｌ形摺動板(12)の本体部(10)を該固定板(8)側に押圧することによってＬ型摺動板(12)を摺動不可能に固定する部材固定機構を提供するものである。
該一方の部材は補高便座(1) であり、該他方の部材は便器(2) または便座であることが望ましい。
【０００５】
【作用】
本発明では、Ｌ形摺動板(12)を摺動させて所望の位置に調節した後、押圧手段であるピン(16)を軸を中心として回転させることによって該ピン(16)の凸条(14)が該Ｌ形摺動板(12)本体部(10)を固定板(8) 側に押圧して、該押圧力によって固定板(8) の帯歯(7) とＬ形摺動板(12)本体部(10)の帯歯(9) とを噛合固定し、Ｌ形摺動板(12)を摺動不可能に固定する。
【０００６】
【発明の実施の形態】
〔実施例１〕
本発明を図１〜図５に示す一実施例によって説明する。本実施例では、図１に示すように補高便座(1) を便器(2) 上に固定する場合を例示する。
補高便座(1) の上面は使用者の脚部がフィットするように内側に向けて傾斜されており、前端両側には大腿部保持凹部(3) が設けられ、前端中央には局所清拭用凹部(4) が設けられ、後端部には後端凹部(5) が設けられている。
更に、補高便座(1) の後端面(6) は平坦にされて自立可能とされているため、補高便座(1) の不使用時には該補高便座(1) を便器(2) から取り外して立てておくことが出来る（図２参照）。
本実施例では、該補高便座(1) の材料として、例えばポリエチレン、ポリプロピレン、ポリスチレン、ＡＳ（アクリロニトリル−スチレン共重合体）、ＡＢＳ（アクリロニトル−ブタジエン−スチレン共重合体）等の合成樹脂が用いられる。
【０００７】
図１〜図３に示すように、該補高便座(1) の下面前側および下面左右両側には上面に帯歯(7) を形成した固定板(8) がネジ止めされて取付けられ、該固定板(8) の上側には下面に帯歯(9) を形成した本体部(10)と該本体部(10)の外端から下方に屈曲した固定脚部(11)とからなるＬ形摺動板(12)の本体部(10)が摺動可能に挿入され、更に該Ｌ形摺動板(12)の上側には軸(13)に凸条(14)が形成されかつ外端部に把手(15)が設けられたピン(16)が軸受け(17)を介して軸を中心として回動可能に取付けられている。
Ｌ形摺動板(12)の本体部(10)上面には一対の係止凸条(18)が設けられており、該Ｌ形摺動板(12)の固定脚部(11)には、Ｌ形摺動板(12)を固定する際に便器(2) を傷つけることがないように、樹脂製またはゴム製の保護部材(19)が取付けられている。
更に、該補高便座(1) の下面四隅には、補高便座(1) を便器(2) 上に載置する際に便器(2) が傷つくのを防止するために、ゴム脚(20)が設けられており、また、該補高便座(1) 下面の開口部周縁部には、補高便座(1) に小水がかかるのを防ぐために、小水受け(21)が取付けられている。
【０００８】
Ｌ形摺動板(12)の位置を調節する場合、図４に示すようにピン(16)の凸条(14)が水平状態になっているときには、固定板(8) とＬ形摺動板(12)本体部(10)との間に若干の隙間が設けられており、該Ｌ形摺動板(12)が摺動可能となっているので、該Ｌ形摺動板(12)を摺動させて位置調節を行う。
【０００９】
上記のようにＬ形摺動板(12)の位置を調節した後、該Ｌ形摺動板(12)を固定する場合には、図５に示すように把手(15)を介してピン(16)を軸を中心として９０度回転させると、該ピン(16)の凸条(14)が該Ｌ形摺動板(12)の本体部(10)を該固定板(8) 側に押圧し、該押圧力によって固定板(8) の帯歯(7) とＬ形摺動板(12)本体部(10)の帯歯(9) が噛合固定され、Ｌ形摺動板(12)が摺動不可能に固定される。
【００１０】
この場合、ピン(16)を軸を中心として９０度回転させたときに、ピン(16)の凸条(14)がＬ形摺動板(12)本体部(10)の係止凸条(18)を乗り越えて、該係止凸条(18)間に係止されるので、ピン(16)が逆回転してＬ形摺動板(12)の固定が解除されるのを防止する。
【００１１】
補高便座(1) を便器(2) に取付ける場合には、便器(2) の便座（図示せず）を立ち上げた状態で該補高便座(1) 本体を便器(2) 上面に載置し、上記のようにしてＬ形摺動板(12)を所望の位置に調節・固定する。このとき、補高便座(1) は、下面前側においてＬ形摺動板(12)の固定脚部(11)と小水受け(21)前側部分とによって便器(2) に挟着固定されており、下面左右両側において左右のＬ形摺動板(12)の固定脚部(11)によって便器(2) に挟着固定されている。
【００１２】
このようにＬ形摺動板(12)を摺動することによって、補高便座(1) が取付けられる便器(2) の形状や大きさに応じて該Ｌ形摺動板(12)の位置を調節することが出来る。
また、把手(15)を介してピン(16)を回動させるだけで補高便座(1) を便器(2) 上に固定することが出来るので、補高便座(1) を便器(2) から取り外す必要もなく、補高便座(1) を便器(2) 上に載置した状態のままで非常に簡単にＬ形摺動板(12)の位置調節および固定を行うことが出来る。
【００１３】
また、足を深く曲げるのが不自由な人にとっては、該補高便座(1) の座面が高くかつ該補高便座(1) 本体の上面が全体的に若干前傾していることにより、足を深く曲げることなく、軽く腰をおろすだけで該補高便座(1) に着座することが出来、更に、膝等への負担をかけることなく、楽に該補高便座(1) から立ち上がることが可能となる。
【００１４】
そして、補高便座(1) の前端両側の大腿部保持凹部(3) によって着座する人の大腿部が保持されるため、使用者が脚を置いた時の使用感が大変良好となり、かつ安定感のある座り心地が得られる。
更に、補高便座(1) の前端中央の局所清拭用凹部(4) を設けることにより、本人または介助者が該局所清拭用凹部(4) から手を差し入れて使用者の局所を清拭することが容易になる。
また更に、補高便座(1) の後端部に後端凹部(5) を設けることにより、着座する人の尾てい骨が当たり難くなり、長時間座っていても良好な座り心地が得られる。
【００１５】
本実施例外、補高便座(1) を便器(2) の便座（図示せず）上に取付け固定してもよい。
補高便座(1) 下面四隅のゴム脚(20)は、補高便座(1) 本体下面の形状に沿った長円屈曲形状とされており、補高便座(1) 本体下面において右側または左側から前側または後側にかけての四隅部分に設けられているので（図２参照）、便器(2) の便座上面に独特の起伏形状が設けられている場合であっても、補高便座(1) を該便器(2) の便座上に取付ける際に、該補高便座(1) のゴム脚(20)が該便器(2) の便座上面に当たり、補高便座(1) の取付けの安定性が確保される。
更に、この場合、便器(2) の便座を跳ね上げる必要がないので、跳ね上げた便座の干渉を受けることがなくなり、便座上後部に空間的余裕が確保される。
【００１６】
〔実施例２〕
図６および図７には更に他の実施例が示される。本実施例では、図６に示すバスボード(27)を浴槽（図示せず）に固定する場合を例示する。
バスボード(27)本体の上面には把手(28)が設けられており、該バスボード(27)本体の下面左右両側には、実施例１と同様、上面に帯歯(7) を形成した固定板(8) がネジ止めされて取付けられ、該固定板(8) の上側には下面に帯歯(9) を形成した本体部(10)と該本体部(10)の外端から下方に屈曲した固定脚部(11)とからなるＬ形摺動板(12)の本体部(10)が摺動可能に挿入され、更に該Ｌ形摺動板(12)の上側には軸(13)に凸条(14)が形成されかつ外端部に把手(15)が設けられたピン(16)が軸受け(17)を介して軸を中心として回動可能に取付けられている（図７参照）。
【００１７】
そして、実施例１と同様にしてＬ形摺動板(12)を摺動・固定することによって、バスボード(27)が取付けられる浴槽の形状や大きさに応じて該Ｌ形摺動板(12)の位置を簡単に調節することが出来る。
【００１８】
〔実施例３〕
図８および図９には更に他の実施例が示される。本実施例では、図８に示す浴槽用手すり(29)を浴槽（図示せず）に固定する場合を例示する。
浴槽用手すり(29)本体の一方の側面には把手(30)が設けられており、該浴槽用手すり(29)本体の他方の下面には、実施例１と同様、上面に帯歯(7) を形成した固定板(8) がネジ止めされて取付けられ、該固定板(8) の上側には下面に帯歯(9) を形成した本体部(10)と該本体部(10)の外端から下方に屈曲した固定脚部(11)とからなるＬ形摺動板(12)の本体部(10)が摺動可能に挿入され、更に該Ｌ形摺動板(12)の上側には軸(13)に凸条(14)が形成されかつ外端部に把手(15)が設けられたピン(16)が軸受け(17)を介して軸を中心として回動可能に取付けられている（図９参照）。
【００１９】
そして、実施例１と同様にしてＬ形摺動板(12)を摺動・固定することによって、浴槽用手すり(29)が取付けられる浴槽の形状に応じて該Ｌ形摺動板(12)の位置を簡単に調節することが出来る。
【００２０】
【発明の効果】
本発明では、Ｌ形摺動板の固定脚部の位置を簡単に調節・固定することが出来るので、種々のサイズの他方の部材（例えば便器等）に、一つの一方の部材（例えば補高便座等）で対応することが可能となる。
【図面の簡単な説明】
図１〜図５は本発明の一実施例を示すものである。
【図１】  補高便座の斜視図である。
【図２】  補高便座の下面からの斜視図である。
【図３】  固定板、Ｌ形摺動板、軸受けおよびピンの分解斜視図である。
【図４】  Ｌ形摺動板を取付けた状態を示す説明斜視図である。
【図５】  Ｌ形摺動板を固定した状態を示す説明斜視図である。
【図６】  実施例２の斜視図である。
【図７】  実施例２の固定板、Ｌ形摺動板、軸受けおよびピンの分解斜視図である。
【図８】  実施例３の斜視図である。
【図９】  実施例３の固定板、Ｌ形摺動板、軸受けおよびピンの分解斜視図である。
【符号の説明】
1           補高便座
2           便器
7           帯歯
8           固定板
9           帯歯
10          本体部
11          固定脚部
12          Ｌ形摺動板
13          軸
14          凸条
16          ピン
【図１】
0004053751.tif 000002
【図２】
0004053751.tif 000003
【図３】
0004053751.tif 000004
【図４】
0004053751.tif 000005
【図５】
0004053751.tif 000006
【図６】
0004053751.tif 000007
【図７】
0004053751.tif 000008
【図８】
0004053751.tif 000009
【図９】
0004053751.tif 000010